【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
判別条件の成立に基づいて判別を実行する判別手段と、
その判別手段の判別結果が特定の判別結果になったことに基づいて遊技者に有利な特典遊技を実行する特典遊技実行手段と、を有した遊技機において、
少なくとも遊技者にとって不利な第１遊技状態において、前記判別手段の判別結果が前記特定の判別結果になることとは少なくとも異なる特定の設定条件が成立したことに基づいて、前記第１遊技状態よりも遊技者に有利な第２遊技状態を設定する第２遊技状態設定手段と、
予め定められた特定条件が成立したことに基づいて、遊技者が所定の特典を獲得し得る特定遊技を実行する特定遊技実行手段と、を備え、
前記第２遊技状態は、前記第１遊技状態よりも前記所定の特典を獲得し易い遊技状態であり、
前記第１遊技状態は、前記遊技機が初期化された場合に少なくとも設定される遊技状態であり、
前記遊技機は、
遊技球を遊技領域へと発射可能な発射手段を有し、
前記判別手段として、前記発射手段によって第１方向へと遊技球が発射された場合に成立し得る第１の判別条件が成立したことに基づいて判別を実行する第１判別手段と、前記発射手段によって前記第１方向とは異なる第２方向へと遊技球が発射された場合に成立し得る第２の判別条件が成立したことに基づいて判別を実行する第２判別手段と、を少なくとも有して構成され、
前記特定条件が成立した時点の遊技状態が、当該特定条件が成立したことに基づいて実行された前記特定遊技が終了した後も維持され得る構成であり、
前記第２判別手段の判別は、前記第１判別手段の判別よりも、前記特定の判別結果となった場合の有利度合いが高くなり易い構成であり、
前記特定条件は、前記発射手段によって前記第１方向へと遊技球が発射された場合に成立しない条件であって前記発射手段によって前記第２方向へと遊技球が発射された場合に成立し得る条件であり、
前記第１遊技状態は、前記発射手段によって前記第２方向へと遊技球が発射され続けた場合よりも、前記第１方向へと遊技球が発射され続けた場合の方が、前記判別条件が成立し易くなる構成であり、
前記第２遊技状態は、前記発射手段によって前記第１方向へと遊技球が発射され続けた場合よりも、前記第２方向へと遊技球が発射され続けた場合の方が、前記判別条件が成立し易くなる構成であることを特徴とする遊技機。
【手続補正２】
【補正対象書類名】明細書
【補正対象項目名】０００２
【補正方法】変更
【補正の内容】
【０００２】
パチンコ機等の遊技機には、始動入賞口への遊技球の入賞に基づいて行われる抽選の結果が当たりだった場合に、当たり遊技を実行するものがある。かかる遊技機の中には、例えば、遊技者にとって有利度合いが異なる複数の当たり種別を設けることにより、興趣向上を図っているものも存在する。
【手続補正３】
【補正対象書類名】明細書
【補正対象項目名】０００３
【補正方法】変更
【補正の内容】
【０００３】
【特許文献１】特許第２５１４４１７号公報
【手続補正４】
【補正対象書類名】明細書
【補正対象項目名】０００４
【補正方法】変更
【補正の内容】
【０００４】
しかしながら、更なる興趣向上が求められている。
【手続補正５】
【補正対象書類名】明細書
【補正対象項目名】０００６
【補正方法】変更
【補正の内容】
【０００６】
この目的を達成するために請求項１記載の遊技機は、判別条件の成立に基づいて判別を実行する判別手段と、その判別手段の判別結果が特定の判別結果になったことに基づいて遊技者に有利な特典遊技を実行する特典遊技実行手段と、を有し、少なくとも遊技者にとって不利な第１遊技状態において、前記判別手段の判別結果が前記特定の判別結果になることとは少なくとも異なる特定の設定条件が成立したことに基づいて、前記第１遊技状態よりも遊技者に有利な第２遊技状態を設定する第２遊技状態設定手段と、予め定められた特定条件が成立したことに基づいて、遊技者が所定の特典を獲得し得る特定遊技を実行する特定遊技実行手段と、を備え、前記第２遊技状態は、前記第１遊技状態よりも前記所定の特典を獲得し易い遊技状態であり、前記第１遊技状態は、前記遊技機が初期化された場合に少なくとも設定される遊技状態であり、前記遊技機は、遊技球を遊技領域へと発射可能な発射手段を有し、前記判別手段として、前記発射手段によって第１方向へと遊技球が発射された場合に成立し得る第１の判別条件が成立したことに基づいて判別を実行する第１判別手段と、前記発射手段によって前記第１方向とは異なる第２方向へと遊技球が発射された場合に成立し得る第２の判別条件が成立したことに基づいて判別を実行する第２判別手段と、を少なくとも有して構成され、前記特定条件が成立した時点の遊技状態が、当該特定条件が成立したことに基づいて実行された前記特定遊技が終了した後も維持され得る構成であり、前記第２判別手段の判別は、前記第１判別手段の判別よりも、前記特定の判別結果となった場合の有利度合いが高くなり易い構成であり、前記特定条件は、前記発射手段によって前記第１方向へと遊技球が発射された場合に成立しない条件であって前記発射手段によって前記第２方向へと遊技球が発射された場合に成立し得る条件であり、前記第１遊技状態は、前記発射手段によって前記第２方向へと遊技球が発射され続けた場合よりも、前記第１方向へと遊技球が発射され続けた場合の方が、前記判別条件が成立し易くなる構成であり、前記第２遊技状態は、前記発射手段によって前記第１方向へと遊技球が発射され続けた場合よりも、前記第２方向へと遊技球が発射され続けた場合の方が、前記判別条件が成立し易くなる構成である。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
請求項１記載の遊技機によれば、判別条件の成立に基づいて判別を実行する判別手段と、その判別手段の判別結果が特定の判別結果になったことに基づいて遊技者に有利な特典遊技を実行する特典遊技実行手段と、を有し、少なくとも遊技者にとって不利な第１遊技状態において、前記判別手段の判別結果が前記特定の判別結果になることとは少なくとも異なる特定の設定条件が成立したことに基づいて、前記第１遊技状態よりも遊技者に有利な第２遊技状態を設定する第２遊技状態設定手段と、予め定められた特定条件が成立したことに基づいて、遊技者が所定の特典を獲得し得る特定遊技を実行する特定遊技実行手段と、を備え、前記第２遊技状態は、前記第１遊技状態よりも前記所定の特典を獲得し易い遊技状態であり、前記第１遊技状態は、前記遊技機が初期化された場合に少なくとも設定される遊技状態であり、前記遊技機は、遊技球を遊技領域へと発射可能な発射手段を有し、前記判別手段として、前記発射手段によって第１方向へと遊技球が発射された場合に成立し得る第１の判別条件が成立したことに基づいて判別を実行する第１判別手段と、前記発射手段によって前記第１方向とは異なる第２方向へと遊技球が発射された場合に成立し得る第２の判別条件が成立したことに基づいて判別を実行する第２判別手段と、を少なくとも有して構成され、前記特定条件が成立した時点の遊技状態が、当該特定条件が成立したことに基づいて実行された前記特定遊技が終了した後も維持され得る構成であり、前記第２判別手段の判別は、前記第１判別手段の判別よりも、前記特定の判別結果となった場合の有利度合いが高くなり易い構成であり、前記特定条件は、前記発射手段によって前記第１方向へと遊技球が発射された場合に成立しない条件であって前記発射手段によって前記第２方向へと遊技球が発射された場合に成立し得る条件であり、前記第１遊技状態は、前記発射手段によって前記第２方向へと遊技球が発射され続けた場合よりも、前記第１方向へと遊技球が発射され続けた場合の方が、前記判別条件が成立し易くなる構成であり、前記第２遊技状態は、前記発射手段によって前記第１方向へと遊技球が発射され続けた場合よりも、前記第２方向へと遊技球が発射され続けた場合の方が、前記判別条件が成立し易くなる構成である。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】７８５６
【補正方法】変更
【補正の内容】
【７８５６】
上述した各遊技機のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機には、操作手段を有するものがあり、その操作手段への操作結果に基づいて様々な設定を実行する遊技機がある。このような遊技機では、操作手段を操作させることにより、興趣向上を図っていた（例えば、特許文献１：特開２０１２−２４９８７７号公報）。
しかしながら、更なる興趣の向上が求められている。
本技術的思想は、上記例示した問題点等を解決するためになされたものであり、遊技者の遊技に対する興趣を向上させることができる遊技機を提供することを目的としている。
＜手段＞
この目的を達成するために技術的思想１の遊技機は、遊技者が操作可能な操作手段と、前記操作手段が操作されたことに基づいて、演出を実行することが可能な演出実行手段と、を有し、前記演出実行手段により実行される演出態様を選択することが可能な演出態様選択手段と、前記演出実行手段により前記演出が実行される場合に、前記操作手段が操作されたことに基づいて前記演出が実行されることを所定期間、規制可能な規制手段と、を有するものである。
技術的思想２の遊技機は、技術的思想１記載の遊技機において、前記演出実行手段により演出が実行される場合に、実行される前記演出に対応した期間情報を前記所定期間として設定することが可能な期間設定手段を有するものである。
技術的思想３の遊技機は、技術的思想１または２記載の遊技機において、前記操作手段が操作される毎に報知態様を報知可能な報知手段と、前記操作手段が操作された場合に、所定の抽選を実行可能な抽選手段と、を有し、前記演出実行手段は、前記抽選手段による抽選結果が特定の抽選結果である場合に、前記演出を実行することが可能に構成されているものである。
＜効果＞
技術的思想１記載の遊技機によれば、遊技者が操作可能な操作手段と、前記操作手段が操作されたことに基づいて、演出を実行することが可能な演出実行手段と、を有し、前記演出実行手段により実行される演出態様を選択することが可能な演出態様選択手段と、前記演出実行手段により前記演出が実行される場合に、前記操作手段が操作されたことに基づいて前記演出が実行されることを所定期間、規制可能な規制手段と、を有するものである。
これにより、遊技者の遊技に対する興趣を向上させることができるという効果がある。
技術的思想２記載の遊技機によれば、技術的思想１記載の遊技機の奏する効果に加え、次の効果を奏する。即ち、前記演出実行手段により演出が実行される場合に、実行される前記演出に対応した期間情報を前記所定期間として設定することが可能な期間設定手段を有するものである。
これにより、遊技者の遊技に対する興趣を向上させることができるという効果がある。
技術的思想３記載の遊技機によれば、技術的思想１または２記載の遊技機の奏する効果に加え、次の効果を奏する。即ち、前記操作手段が操作される毎に報知態様を報知可能な報知手段と、前記操作手段が操作された場合に、所定の抽選を実行可能な抽選手段と、を有し、前記演出実行手段は、前記抽選手段による抽選結果が特定の抽選結果である場合に、前記演出を実行することが可能に構成されているものである。
これにより、遊技者の遊技に対する興趣を向上させることができるという効果がある。
【手続補正１４】
【補正対象書類名】明細書
【補正対象項目名】７８５７
【補正方法】変更
【補正の内容】
【７８５７】
１０                      パチンコ機（遊技機）
２２                      枠ボタン（操作手段）
１１２ 発射制御装置（第１２実施形態における発射手段）
１１３                    音声ランプ制御装置１１３（有効期間設定手段）
Ｓ４０６ 第１２実施形態における判別手段の一部、第１判別手段
Ｓ４０８ 第１２実施形態における特典遊技実行手段の一部
Ｓ１００６ 第１２実施形態における判別手段の一部、第２判別手段
Ｓ１００８ 第１２実施形態における特典遊技実行手段の一部
Ｓ１１０１ 第１２実施形態における判別手段の一部、第２判別手段
Ｓ１１０３ 第１２実施形態における特定遊技実行手段
Ｚ７２０２                規制手段の一部
Ｚ７２０６                演出態様選択手段
Ｚ７３０８                規制手段の一部